(57)【要約】【課題】従来に比して小型化が可能なイオン発生素子を提供する。【解決手段】イオン発生素子１００は、イオンを発生させる第１放電電極１５２ａおよび第１誘導電極１５３ａと、イオンを発生させる第２放電電極１５２ｂおよび第２誘導電極１５３ｂと、駆動電圧を昇圧して第１放電電極１５２ａおよび第２放電電極１５２ｂに印加する昇圧トランス１４０と、これらが設けられた高電圧側回路基板１３０とを備える。第１放電電極１５２ａと、第１誘導電極１５３ａおよびこれに電気的に接続された第１ランド１３２とは、昇圧トランス１４０から見て高電圧側回路基板１３０の所定方向における一端部側に配置され、第２放電電極１５２ｂと、第２誘導電極１５３ｂおよびこれに電気的に接続された第２ランド１３４とは、昇圧トランス１４０から見て高電圧側回路基板１３０の所定方向における他端部側に配置される。【選択図】図２
2014053084.tif 000002
【特許請求の範囲】
【請求項１】
放電によりイオンを発生させる第１放電電極および第１誘導電極と、
放電によりイオンを発生させる第２放電電極および第２誘導電極と、
外部から供給された駆動電圧を昇圧して前記第１放電電極および前記第２放電電極に印加する昇圧トランスと、
前記第１放電電極、前記第１誘導電極、前記第２放電電極、前記第２誘導電極および前記昇圧トランスが設けられた回路基板とを備え、
前記第１放電電極および前記第１誘導電極は、前記昇圧トランスから見て前記回路基板の所定方向における一端部側に配置され、
前記第２放電電極および前記第２誘導電極は、前記昇圧トランスから見て前記回路基板の前記所定方向における他端部側に配置され、
前記第１誘導電極に電気的に接続された第１ランドが、前記昇圧トランスから見て前記回路基板の前記一端部側に設けれ、
前記第２誘導電極に電気的に接続された第２ランドが、前記昇圧トランスから見て前記回路基板の前記他端部側に設けられている、イオン発生素子。
【請求項２】
前記回路基板に設けられ、前記昇圧トランスに電気的に接続されることで外部から供給された駆動電圧に基づいて一時的に充電を行なってこれを前記昇圧トランスに供給するコンデンサと、
前記回路基板に設けられ、前記昇圧トランスに電気的に接続されることで前記昇圧トランスの駆動を制御するトランジスタとをさらに備え、
前記コンデンサを接地するための導電線が、前記第１ランドおよび前記第２ランドの一方に電気的に接続され、
前記トランジスタを接地するための導電線が、前記第１ランドおよび前記第２ランドの他方に電気的に接続されている、請求項１に記載のイオン発生素子。
【請求項３】
前記回路基板を収容するケーシングと、
前記ケーシングの内部に液状樹脂を注入して硬化されることで前記昇圧トランスを絶縁封止する樹脂封止部とをさらに備え、
前記ケーシングが、前記第１ランドが設けられた部分の前記回路基板を露出させる第１窓部と、前記第２ランドが設けられた部分の前記回路基板を露出させる第２窓部とを有することにより、前記第１ランドおよび前記第２ランドが、前記樹脂封止部によって覆われないように構成されている、請求項１または２に記載のイオン発生素子。
【請求項４】
前記回路基板に設けられ、前記昇圧トランスと前記第１放電電極との間においてこれらに電気的に接続された第１整流素子と、
前記回路基板に設けられ、前記昇圧トランスと前記第２放電電極との間においてこれらに電気的に接続された第２整流素子とをさらに備え、
前記第１整流素子および前記第２整流素子が、前記樹脂封止部によって封止されている、請求項３に記載のイオン発生素子。
【請求項５】
前記第１放電電極および前記第２放電電極が、いずれも針状の形状を有している、請求項１から４のいずれかに記載のイオン発生素子。
【請求項６】
請求項１から５のいずれかに記載のイオン発生素子と、
前記イオン発生素子を駆動するために駆動電圧を生成して前記昇圧トランスに供給する電源回路を含む駆動ユニットとを備えた、イオン発生器。
【請求項７】
請求項６に記載のイオン発生器と、
前記第１放電電極および前記第２放電電極によって発生されるイオンを送出するための気流を発生させる送風機とを備えた、イオン発生装置。
【発明の詳細な説明】
【技術分野】
【０００１】
本発明は、正イオンおよび負イオンを発生させるイオン発生素子に関する。また、本発明は、当該イオン発生素子と、当該イオン発生素子を駆動するための駆動ユニットとを備えたイオン発生器に関する。さらに、本発明は、当該イオン発生器と、イオンを送出するための気流を発生させる送風機とを備えたイオン発生装置に関する。
【背景技術】
【０００２】
従来、放電現象を利用した各種のイオン発生器が実用化されている。通常、これらのイオン発生器は、イオンを発生させるための電極ユニットと、電極ユニットに高電圧を印加するための昇圧トランスと、昇圧トランスに供給するための駆動電圧を生成するための駆動ユニットとによって構成される。
【０００３】
イオン発生器が開示された文献としては、たとえば特開２００８−１６３４５号公報（特許文献１）がある。当該特許文献１に開示のイオン発生器においては、外装ケースの内部の空間が、上記電極ユニットが収容されるブロックと、上記昇圧トランスが収容されるブロックと、上記駆動ユニットが収容されるブロックとに平面的に区画されることにより、ブロック毎にこれら各構成を絶縁封止可能にし、これにより各構成を接近配置可能にすることでその小型化が図られている。
【先行技術文献】
【特許文献】
【０００４】
【特許文献１】特開２００８−１６３４５号公報
【発明の概要】
【発明が解決しようとする課題】
【０００５】
ところで、近年においては、昇圧トランスの小型化が進んでおり、イオン発生器において利用することが可能な小型の昇圧トランスとして、表面実装型のものが実用化されている。この表面実装型の昇圧トランスを利用した場合には、上述した電極ユニットと昇圧トランスとを一体化させた構成のイオン発生素子とすることが可能になるため、当該イオン発生素子とこれを駆動するための駆動ユニットとによってイオン発生器を構成することが可能になり、結果としてさらなる小型化が期待できる。
【０００６】
しかしながら、この利点を最大限に生かしたイオン発生素子、イオン発生器およびイオン発生装置は未だ存在しておらず、その改善が求められているところである。
【０００７】
したがって、本発明は、上述した問題点に鑑みてなされたものであり、従来に比して小型化が可能なイオン発生素子、イオン発生器およびイオン発生装置を提供することを目的とする。
【課題を解決するための手段】
【０００８】
本発明に基づくイオン発生素子は、放電によりイオンを発生させる第１放電電極および第１誘導電極と、放電によりイオンを発生させる第２放電電極および第２誘導電極と、外部から供給された駆動電圧を昇圧して上記第１放電電極および上記第２放電電極に印加する昇圧トランスと、上記第１放電電極、上記第１誘導電極、上記第２放電電極、上記第２誘導電極および上記昇圧トランスが設けられた回路基板とを備えている。上記第１放電電極および上記第１誘導電極は、上記昇圧トランスから見て上記回路基板の所定方向における一端部側に配置されており、上記第２放電電極および上記第２誘導電極は、上記昇圧トランスから見て上記回路基板の上記所定方向における他端部側に配置されている。上記本発明に基づくイオン発生素子にあっては、上記第１誘導電極に電気的に接続された第１ランドが、上記昇圧トランスから見て上記回路基板の上記一端部側に設けれているとともに、上記第２誘導電極に電気的に接続された第２ランドが、上記昇圧トランスから見て上記回路基板の上記他端部側に設けられている。
【０００９】
上記本発明に基づくイオン発生素子は、さらに、上記回路基板に設けられ、上記昇圧トランスに電気的に接続されることで外部から供給された駆動電圧に基づいて一時的に充電を行なってこれを上記昇圧トランスに供給するコンデンサと、上記回路基板に設けられ、上記昇圧トランスに電気的に接続されることで上記昇圧トランスの駆動を制御するトランジスタとを備えていることが好ましい。その場合には、上記コンデンサを接地するための導電線が、上記第１ランドおよび上記第２ランドの一方に電気的に接続されているとともに、上記トランジスタを接地するための導電線が、上記第１ランドおよび上記第２ランドの他方に電気的に接続されていることが好ましい。
【００１０】
上記本発明に基づくイオン発生素子は、さらに、上記回路基板を収容するケーシングと、上記ケーシングの内部に液状樹脂を充填して硬化されることで上記昇圧トランスを絶縁封止する樹脂封止部とを備えていることが好ましい。その場合には、上記ケーシングが、上記第１ランドが設けられた部分の上記回路基板を露出させる第１窓部と、上記第２ランドが設けられた部分の上記回路基板を露出させる第２窓部とを有することにより、上記第１ランドおよび上記第２ランドが、上記樹脂封止部によって覆われないように構成されていることが好ましい。
【００１１】
本発明に基づくイオン発生素子は、さらに、上記回路基板に設けられ、上記昇圧トランスと上記第１放電電極との間においてこれらに電気的に接続された第１整流素子と、上記回路基板に設けられ、上記昇圧トランスと上記第２放電電極との間においてこれらに電気的に接続された第２整流素子とを備えていることが好ましい。その場合には、上記第１整流素子および上記第２整流素子が、上記樹脂封止部によって封止されていることが好ましい。
【００１２】
上記本発明に基づくイオン発生素子にあっては、上記第１放電電極および上記第２放電電極が、いずれも針状の形状を有していることが好ましい。
【００１３】
本発明に基づくイオン発生器は、上記本発明に基づくイオン発生素子と、上記イオン発生素子を駆動するために駆動電圧を生成して上記昇圧トランスに供給する電源回路を含む駆動ユニットとを備えている。
【００１４】
本発明に基づくイオン発生装置は、上記本発明に基づくイオン発生器と、上記第１放電電極および上記第２放電電極によって発生されるイオンを送出するための気流を発生させる送風機とを備えている。
【発明の効果】
【００１５】
本発明によれば、従来に比して小型化が図られたイオン発生素子、イオン発生器およびイオン発生装置とすることができる。
【図面の簡単な説明】
【００１６】
【図１】本発明の実施の形態におけるイオン発生器の概略斜視図である。
【図２】本発明の実施の形態におけるイオン発生素子の回路構成を示す図である。
【図３】図２に示すイオン発生素子を斜め上方から見た概略斜視図である。
【図４】図２に示すイオン発生素子を斜め下方から見た概略斜視図である。
【図５】図２に示すイオン発生素子の上面図である。
【図６】図２に示すイオン発生素子の下面図である。
【図７】図２に示すイオン発生素子に組み込まれる部品実装後の高電圧側回路基板を斜め上方から見た概略斜視図である。
【図８】図２に示すイオン発生素子に組み込まれる部品実装後の高電圧側回路基板を斜め下方から見た概略斜視図である。
【図９】図２に示すイオン発生素子の分解斜視図である。
【図１０】図１に示すイオン発生器のイオン発生素子と駆動ユニットとの接続部の構造を示す上面図である。
【発明を実施するための形態】
【００１７】
以下、本発明の一実施の形態について、図を参照して詳細に説明する。なお、以下に示す実施の形態においては、同一のまたは共通する部分について図中同一の符号を付し、その説明は繰り返さない。
【００１８】
図１は、本発明の実施の形態におけるイオン発生器の概略斜視図である。また、図２は、本実施の形態におけるイオン発生素子の回路構成を示す図である。まず、これら図１および図２を参照して、本実施の形態におけるイオン発生器１の構成およびその動作ならびに本実施の形態におけるイオン発生素子１００の回路構成について説明する。
【００１９】
図１に示すように、イオン発生器１は、イオン発生素子１００と駆動ユニット２００とを備えている。イオン発生素子１００は、各種の電気部品が高電圧側回路基板１３０に実装されることで所定の電気回路を構成する回路モジュールからなり、駆動ユニット２００は、各種の電気部品が低電圧側回路基板２１０に実装されることで所定の電気回路を構成する回路モジュールからなる。
【００２０】
イオン発生素子１００は、全体としておおよそ扁平な略直方体形状の外形を有するケーシング１０１によって覆われており、当該ケーシング１０１の内部に平面視略矩形状の高電圧側回路基板１３０が収容されている。一方、駆動ユニット２００は、平面視略矩形状の低電圧側回路基板２１０が特に筺体等によって覆われることはなく、露出した状態とされている。
【００２１】
イオン発生素子１００は、少なくとも、放電によりイオンを発生させる放電電極と、駆動ユニット２００から供給された駆動電圧を昇圧して上記放電電極に印加する昇圧トランスとを含む回路モジュールであり、本実施の形態においては、図１および図２に示すように、上述した高電圧側回路基板１３０と、放電電極としての第１放電電極（正電極）１５２ａおよび第２放電電極（負電極）１５２ｂと、昇圧トランスとしての表面実装型の昇圧トランス１４０（図７等参照）とを有している。
【００２２】
また、本実施の形態においては、イオン発生素子１００が、さらに、誘導電極としての第１誘導電極１５３ａおよび第２誘導電極１５３ｂと、整流素子としての第１ダイオード１５１ａおよび第２ダイオード１５１ｂと、コンデンサ１６１と、トランジスタ１６２と、複数のランド１３１〜１３４とを有している。
【００２３】
一方、駆動ユニット２００は、少なくともイオン発生素子を駆動するための電源回路を含む回路モジュールであり、本実施の形態においては、図１に示すように、上述した低電圧側回路基板２１０と、当該低電圧側回路基板２１０に設けられた図示しない電源回路とを有している。
【００２４】
また、本実施の形態においては、駆動ユニット２００が、さらに、複数のランド２１１〜２１４と、図示しない昇圧トランス駆動回路と、コネクタ２２０とを有している。ここで、昇圧トランス駆動回路は、イオン発生素子１００に設けられた昇圧トランス１４０の駆動を制御するためのものであり、コネクタ２２０は、たとえば外部の電源（本実施の形態においては乾電池や蓄電池といった直流電源、場合によっては商用電源等）にイオン発生器１を接続するための電源端子や、外部の制御機器等にイオン発生器１を接続するための信号端子等を含んでいる。
【００２５】
図１に示すように、イオン発生素子１００と駆動ユニット２００とは、図示しないビス等によって近接配置されて物理的に固定されており、また、高電圧側回路基板１３０に設けられた上記複数のランド１３１〜１３４と、低電圧側回路基板２１０に設けられた上記複数のランド２１１〜２１４とが、これらの間の電気的な接続を実現する接続部材３００によってそれぞれ対応づけて接続されることにより、電気的に接続されている。なお、接続部材３００としては、特にその種類が限定されるものではないが、ボンディングワイヤや導電テープ、両端が半田付け等によってランドに接続される導電線（バスバ）等、公知の手段が利用可能である。
【００２６】
本実施の形態におけるイオン発生器１においては、要約すると、駆動ユニット２００に設けられた電源回路にて生成された駆動電圧が、イオン発生素子１００に供給され、これが昇圧トランス１４０に供給されて昇圧されることで第１放電電極１５２ａおよび第２放電電極１５２ｂに印加され、これにより第１放電電極１５２ａ−第１誘導電極１５３ａ間および第２放電電極１５２ｂ−第２誘導電極１５３ｂ間において放電を生じさせる。当該放電により、第１放電電極１５２ａの近傍の空間において正イオンが発生し、第２放電電極１５２ｂの近傍の空間において負イオンが発生する。以下、この動作を実現する回路構成およびその動作について、図１および図２を参照してより詳細に説明する。
【００２７】
上述した第１放電電極１５２ａ、第２放電電極１５２ｂ、昇圧トランス１４０、第１誘導電極１５３ａ、第２誘導電極１５３ｂ、第１ダイオード１５１ａ、第２ダイオード１５１ｂ、コンデンサ１６１、トランジスタ１６２および複数のランド１３１〜１３４は、いずれもイオン発生素子１００の高電圧側回路基板１３０に設けられており、当該高電圧側回路基板１３０に設けられた配線パターンにより、相互に電気的に接続されている。
【００２８】
高電圧側回路基板１３０に設けられたランド１３１〜１３４のうち、ランド１３１は、電源入力端子であり、第１ランドとしてのランド１３２は、第１接地端子であり、ランド１３３は、信号入力端子であり、第２ランドとしてのランド１３４は、第２接地端子である。
【００２９】
コンデンサ１６１は、ランド１３１を介して供給される駆動電圧に基づいて一時的に充電を行なってこれを昇圧トランス１４０に供給するものであり、一端がランド１３１に接続されており、他端がランド１３２に接続されている。コンデンサ１６１は、たとえばフィルムコンデンサからなり、高電圧側回路基板１３０に実装が可能な表面実装部品（図８等参照）にて構成される。
【００３０】
昇圧トランス１４０は、一次巻線１４１と二次巻線１４２とを含み、供給された駆動電圧を昇圧してこれを第１放電電極１５２ａおよび第２放電電極１５２ｂに印加するためのものである。一次巻線１４１の一端は、ランド１３１に接続されており、一次巻線１４１の他端は、トランジスタ１６２を介してランド１３４に接続されている。二次巻線１４２の一端は、一次巻線１４１の上記一端に接続されるとともに、上述したランド１３１に接続されており、二次巻線１４２の他端は、第１ダイオード１５１ａおよび第２ダイオード１５１ｂのそれぞれを介して第１放電電極１５２ａおよび第２放電電極１５２ｂに接続されている。昇圧トランス１４０は、高電圧側回路基板１３０に実装が可能な表面実装部品（図７等参照）にて構成される。
【００３１】
トランジスタ１６２は、昇圧トランス１４０の駆動を制御するためのものであり、そのベースが昇圧トランス１４０の一次巻線１４１の上記他端に接続されており、そのソースがランド１３４に接続されており、そのゲートがランド１３３に接続されている。トランジスタ１６２は、たとえばパッケージ化されたＭＯＳトランジスタからなり、高電圧側回路基板１３０に実装が可能な表面実装部品（図８等参照）にて構成される。
【００３２】
第１ダイオード１５１ａは、電流を整流するためのものであり、そのアノードが昇圧トランス１４０の二次巻線１４２の上記他端に接続されており、そのカソードが第１放電電極１５２ａに接続されている。第２ダイオード１５１ｂは、電流を整流するためのものであり、そのアノードが第２放電電極１５２ｂに接続されており、そのカソードが昇圧トランス１４０の二次巻線１４２の上記他端に接続されている。第１ダイオード１５１ａおよび第２ダイオード１５１ｂは、いずれもディスクリート部品にて構成されており、高電圧側回路基板１３０に実装が可能なアキシャルタイプの実装部品（図７および図８等参照）にて構成される。
【００３３】
第１放電電極１５２ａは、放電を生じさせることで正イオンを発生させるためのものであり、第１ダイオード１５１ａのカソードに接続されている。第２放電電極１５２ｂは、放電を生じさせるための電極であり、第２ダイオード１５１ｂのアノードに接続されている。第１放電電極１５２ａおよび第２放電電極１５２ｂは、いずれもその一端が尖鋭状に加工された針状の形状を有しており、高電圧側回路基板１３０に実装が可能なピンタイプの部品（図７および図８等参照）にて構成される。
【００３４】
第１誘導電極１５３ａは、第１放電電極１５２ａの近傍に配置されることで第１放電電極１５２ａにて放電が生じるように誘導するためのものであり、ランド１３２に接続されている。第２誘導電極１５３ｂは、第２放電電極１５２ｂの近傍に配置されることで第２放電電極１５２ｂにて放電が生じるように誘導するためのものであり、ランド１３４に接続されている。第１誘導電極１５３ａおよび第２誘導電極１５３ｂは、いずれも高電圧側回路基板１３０の表面に形成された導電パターン（図７等参照）にて構成される。
【００３５】
一方、駆動ユニット２００の低電圧側回路基板２１０に設けられたランド２１１〜２１４のうち、ランド２１１は、電源出力端子であり、ランド２１２は、第３接地端子であり、ランド２１３は、信号出力端子であり、ランド２１４は、第４接地端子である。
【００３６】
低電圧側回路基板２１０に設けられた電源回路は、上述したコネクタ２２０を介して外部の直流電源から入力された直流電源電圧を調整して所定の駆動電圧を生成し、ランド２１１を介するとともに、さらに接続部材３００およびランド１３１を経由することで、これをイオン発生素子１００に供給する。
【００３７】
低電圧側回路基板２１０に設けられた昇圧トランス駆動回路は、トランジスタ１６２のオン／オフ動作を制御する信号を生成し、ランド２１３を介するとともに、さらに接続部材３００およびランド１３３を経由することで、これをイオン発生素子１００に導出する。
【００３８】
また、低電圧側回路基板２１０には、接地電位に保持される接地パターンが設けられており、これがランド２１２，２１４に接続されている。当該ランド２１２，２１４は、それぞれ接続部材３００を介してイオン発生素子１００に設けられたランド１３２，１３４に接続されている。
【００３９】
本実施の形態においては、上記回路構成とすることにより、コンデンサ１６１において繰り返し充放電が行なわれることになり、これに同期させてトランジスタ１６２のオン／オフ動作を切り替えることにより、昇圧トランス１４０の一次巻線１４１にインパルス電圧が発生する。これにより、昇圧トランス１４０の二次巻線１４２に正および負の高電圧パルスが交互に発生することになり、発生した正の高電圧パルスは、第１ダイオード１５１ａを介して第１放電電極１５２ａに印加され、負の高電圧パルスは、第２ダイオード１５１ｂを介して第２放電電極１５２ｂに印加される。これにより、第１放電電極１５２ａおよび第２放電電極１５２ｂの先端でコロナ放電が発生し、それぞれ正イオンおよび負イオンが発生する。
【００４０】
図３および図４は、図２に示すイオン発生素子をそれぞれ斜め上方および斜め下方から見た概略斜視図であり、図５および図６は、図２に示すイオン発生素子の上面図および下面図である。また、図７および図８は、図２に示すイオン発生素子に組み込まれる部品実装後の高電圧側回路基板をそれぞれ斜め上方および斜め下方から見た概略斜視図である。さらに、図９は、図２に示すイオン発生素子の分解斜視図である。次に、これら図３ないし図９を参照して、上述した本実施の形態におけるイオン発生素子１００の具体的な構造について説明する。
【００４１】
図３ないし図６に示すように、イオン発生素子１００の外殻であるケーシング１０１は、下面開口の箱状の上ケース１１０と、上面開口の箱状の下ケース１２０とを含んでおり、これら上ケース１１０と下ケース１２０とが組み合わされることにより、内部に高電圧側回路基板１３０を収容する空間を有している。上ケース１１０および下ケース１２０は、いずれも樹脂製の部材にて構成される。
【００４２】
図７に示すように、平面視略矩形状の高電圧側回路基板１３０の一方の主面である上面には、第１放電電極１５２ａと、第２放電電極１５２ｂと、第１誘導電極１５３ａと、第２誘導電極１５３ｂと、昇圧トランス１４０とが実装されており、さらに当該上面には、ランド１３１〜１３４が設けられている。また、高電圧側回路基板１３０の上面側の部分には、第１ダイオード１５１ａおよび第２ダイオード１５１ｂの一部が達している。
【００４３】
昇圧トランス１４０は、高電圧側回路基板１３０の所定方向（ここでは長手方向）の中央部にその軸方向が上記所定方向と直交するように配置されている。
【００４４】
第１放電電極１５２ａは、高電圧側回路基板１３０の上記所定方向における一端部側に位置する一方の角部近傍に配置されており、第２放電電極１５２ｂは、高電圧側回路基板１３０の上記所定方向における他端部側に位置する一方の角部近傍に配置されている。なお、第１放電電極１５２ａおよび第２放電電極１５２ｂは、その尖鋭状に加工された先端部が高電圧側回路基板１３０の上面側に配置されるように、その根元部が高電圧側回路基板１３０を貫通した状態で当該高電圧側回路基板１３０に固着されている。
【００４５】
第１誘導電極１５３ａは、第１放電電極１５２ａの近傍に位置するように、高電圧側回路基板１３０の上記所定方向における一端部側の略中央に配置されており、第２誘導電極１５３ｂは、第２放電電極１５２ｂの近傍に位置するように、高電圧側回路基板１３０の上記所定方向における他端部側の略中央に配置されている。
【００４６】
一方、ランド１３１〜１３３は、高電圧側回路基板１３０の上記所定方向における一端部側に位置する他方の角部近傍に配置されており、ランド１３４は、高電圧側回路基板１３０の上記所定方向における他端部側に位置する他方の角部近傍に配置されている。
【００４７】
図８に示すように、平面視略矩形状の高電圧側回路基板１３０の他方の主面である下面には、第１ダイオード１５１ａと、第２ダイオード１５１ｂと、コンデンサ１６１と、トランジスタ１６２とが実装されている。また、高電圧側回路基板１３０の下面には、上述した第１放電電極１５２ａおよび第２放電電極１５２ｂの根元部が位置している。
【００４８】
第１ダイオード１５１ａは、高電圧側回路基板１３０の上記所定方向における一端部と中央部との間の位置に配置されており、高電圧側回路基板１３０に設けられた切欠き部に嵌まり込むように設けられている。第２ダイオード１５１ｂは、高電圧側回路基板１３０の上記所定方向における他端部と中央部との間の位置に配置されており、高電圧側回路基板１３０に設けられた切欠き部に嵌まり込むように設けられている。
【００４９】
トランジスタ１６２は、高電圧側回路基板１３０の上記所定方向における一端部側に位置する他方の角部近傍に配置されており、コンデンサ１６１は、高電圧側回路基板１３０の上記所定方向における他端部側に位置する他方の角部近傍に配置されている。
【００５０】
なお、図７および図８に示すように、高電圧側回路基板１３０の所定位置には、上述した第１ダイオード１５１ａおよび第２ダイオード１５１ｂを収容するための切欠き部に加えて、さらにスリット状に延びる切欠き部が多数形成されている。これら切欠き部は、後述する樹脂封止部１７０（図４および図６参照）の形成の際に、樹脂封止部１７０となる液状樹脂のケーシング１０１内における巡りをよくするためのものである。
【００５１】
図３および図５に示すように、上ケース１１０の昇圧トランス１４０に対応した位置には、昇圧トランス１４０を覆うとともにこれを収容可能にする凸状の昇圧トランス収容部１１１が設けられている。また、上ケース１１０の第１ダイオード１５１ａおよび第２ダイオード１５１ｂに対応した位置には、それぞれ第１ダイオード１５１ａおよび第２ダイオード１５１ｂを覆うとともにこれらを収容可能にする凸状のダイオード収容部１１２ａ，１１２ｂが設けられている。
【００５２】
さらに、上ケース１１０の第１放電電極１５２ａおよび第２放電電極１５２ｂに対応した位置には、それぞれ第１放電電極１５２ａおよび第２放電電極１５２ｂが挿通配置可能となるように放電電極収容孔部１１３ａ，１１３ｂが設けられている。また、上ケース１１０のランド１３１〜１３３に対応した位置には、ランド１３１〜１３４を露出させる第１窓部１１４ａが設けられており、上ケース１１０のランド１３４に対応した位置には、ランド１３４を露出される第２窓部１１４ｂが設けられている。
【００５３】
加えて、上ケース１１０の第１窓部１１４ａおよび第２窓部１１４ｂに隣接した位置であってかつ上述した駆動ユニット２００が配置される部分には、それぞれ支持枠部１１５ａ，１１５ｂが設けられている。当該支持枠部１１５ａ，１１５ｂは、駆動ユニット２００の低電圧側回路基板２１０の端部が載置される部分となるのみならず、高電圧側回路基板１３０の端部も載置される部分である。
【００５４】
図４および図６に示すように、下ケース１２０の略中央部には、樹脂封止部１７０となる液状樹脂をケーシング１０１の内部に注入する際に使用される注入用孔部１２１が設けられている。また、下ケース１２０の第１ダイオード１５１ａおよび第２ダイオード１５１ｂに対応した位置には、それぞれ第１ダイオード１５１ａおよび第２ダイオード１５１ｂの端部を収容可能にするダイオード収容孔部１２２ａ，１２２ｂが設けられている。さらに、下ケース１２０のコンデンサ１６１に対応した位置には、コンデンサ１６１の端部を収容可能にするコンデンサ収容孔部１２３が設けられている。
【００５５】
図９に示すように、イオン発生素子１００の組立に際しては、まず、各種部品が実装された後の高電圧側回路基板１３０に上ケース１１０が組付けられ、さらにその後に上ケース１１０に対して下ケース１２０が組付けられる。このとき、上ケース１１０の支持枠部１１５ａ，１１５ｂ上に、高電圧側回路基板１３０の端部が載置されるようにする。
【００５６】
次に、放電電極収容孔部１１３ａとこれに挿通された第１放電電極１５２ａとの間の隙間、放電電極収容孔部１１３ｂとこれに挿通された第２放電電極１５２ｂとの間の隙間、ならびに、第１窓部１１４ａおよび第２窓部１１４ｂと高電圧側回路基板１３０との間の隙間を閉塞するように、これら部分に液状シール剤を塗布して硬化させることで図示しないシール部を形成する。当該シール部を形成することにより、後述する液状樹脂の注入の際に液状樹脂がこれら隙間から漏れ出すことが防止可能となり、ランド１３１〜１３４が樹脂封止部１７０によって覆われることがないようにすることができる。
【００５７】
つづいて、上述した注入用孔部１２１を介してケーシング１０１の内部に液状樹脂を注入してこれを硬化させることで樹脂封止部１７０を形成する。なお、樹脂封止部１７０の材質は、特に限定されるものではないが、好適にはエポキシ樹脂が利用できる。
【００５８】
当該樹脂封止部１７０を用いてケーシング１０１の内部の空間を充填することにより、高電圧部品としての昇圧トランス１４０（特に二次巻線１４２部分）、第１ダイオード１５１ａ、第２ダイオード１５１ｂ、第１放電電極１５２ａの根元部および第２放電電極１５２ｂの根元部を絶縁封止することが可能になるとともに、これに加えて高電圧部品ではないもののコンデンサ１６１およびトランジスタ１６２といった部品や高電圧側回路基板１３０の大部分を絶縁封止することが可能になる。そのため、これら部品の絶縁を図りつつこれらを接近配置させることが可能になるとともに、耐吸湿性といった信頼性の向上が図られることになる。
【００５９】
以上により、図３ないし図６に示す如くのイオン発生素子１００が製作されることになり、当該イオン発生素子１００においては、第１放電電極１５２ａの先端部、第２放電電極１５２ｂの先端部、ランド１３１〜１３４が上ケース１１０から露出した状態となり、さらに下ケース１２０に設けられた注入用孔部１２１、ダイオード収容孔部１２２ａ，１２２ｂおよびコンデンサ収容孔部１２３が樹脂封止部１７０によって封止されることで、上述した第１放電電極１５２ａの先端部、第２放電電極１５２ｂの先端部、ランド１３１〜１３４を除く部分がすべてケーシング１０１および樹脂封止部１７０によって覆われることになる。
【００６０】
図１０は、図１に示すイオン発生器のイオン発生素子と駆動ユニットとの接続部の構造を示す上面図である。次に、この図１０を参照して、本実施の形態におけるイオン発生器１のイオン発生素子１００と駆動ユニット２００との接続部の構造について詳説する。なお、図１０においては、接続部材３００（図１参照）の図示は省略している。
【００６１】
図１０に示すように、イオン発生素子１００と駆動ユニット２００との物理的な接続は、ランド２１１〜２１４が設けられた部分である低電圧側回路基板２１０の端部に位置する突出部２１５ａ，２１５ｂが、高電圧側回路基板１３０の厚み方向に沿ってイオン発生素子１００の一部である支持枠部１１５ａ，１１５ｂ上にそれぞれ載置された状態とされ、当該状態において図示しないビス等によってイオン発生素子１００と駆動ユニット２００とが固定されることで行なわれる。
【００６２】
このように構成することにより、高電圧側回路基板１３０に設けられたランド１３１〜１３４と、低電圧側回路基板２１０に設けられたランド２１１〜２１４とが、それぞれイオン発生素子１００と駆動ユニット２００とが並ぶ方向に沿って接近配置されることになり、これらランド１３１〜１３４およびランド２１１〜２１４間のそれぞれの接続部材３００を介した電気的な接続が可能になる。
【００６３】
ここで、一般的に、接地端子は、回路基板間における電気的な接続箇所の数を削減する観点から、通常であれば単一のランドに集約されるものである。しかしながら、本実施の形態におけるイオン発生素子１００おいては、高電圧側回路基板１３０に設けられた第１接地端子である第１ランドとしてのランド１３２と、同じく高電圧側回路基板１３０に設けられた第２接地端子である第２ランドとしてのランド１３４とが、単一のランドに集約されることなく、個別に独立して形成されている。
【００６４】
これは、本実施の形態におけるイオン発生素子１００においては、上述したように、昇圧トランス１４０が高電圧側回路基板１３０の所定方向に沿った中央部に配置されているとともに、第１誘導電極１５３ａおよび第２誘導電極１５３ｂが当該昇圧トランス１４０を挟み込むように高電圧側回路基板１３０の所定方向における一端部と他端部とに配置されているため、当該所定方向とは直交する方向の高電圧側回路基板１３０の幅を大きくしない限り、これら第１誘導電極１５３ａと第２誘導電極１５３ｂとを電気的に接続するための配線パターンを高電圧側回路基板１３０に形成することができないこととなり、これに伴って当該幅方向におけるイオン発生素子１００の体格が大型化してしまうことを避ける目的で採用された構造である。
【００６５】
すなわち、上記のように構成することにより、高電圧側回路基板１３０の上記幅方向の厚みを可能な限り昇圧トランス１４０の軸方向の長さに近付けることが可能になり、イオン発生素子１００の当該幅方向に沿った寸法を削減できることになる。そのため、結果としてイオン発生器１の寸法も低減できることになり、これに伴ってイオン発生器１の小型化が可能となってその占有体積を削減することができる。
【００６６】
したがって、本実施の形態におけるイオン発生素子１００およびこれを備えたイオン発生器１とすることにより、従来に比して小型化が図られたイオン発生素子およびイオン発生器とすることが可能となり、さらには、当該イオン発生器１が組み込まれたイオン発生装置とすることにより、そのイオン発生装置の小型化も図られることになる。
【００６７】
ここで、イオン発生装置とは、イオン発生器と、当該イオン発生器において発生されるイオンを送出するための気流を発生させる送風機とを少なくとも組み合わせることで構成されたものであり、空間中に正イオンおよび負イオンを高密度で混在させることにより、ウイルスやカビ菌等の分解、各種アレルゲンの不活化、臭いの除去、除電等を行なうものである。したがって、イオン発生装置には、たとえば空気清浄機や空気調和機、美容健康機器等、様々なものが含まれる。
【００６８】
以上において説明した本発明の一実施の形態においては、イオン発生素子、イオン発生器およびイオン発生装置として、正イオンおよび負イオンの双方を発生させるものを例示して説明を行なったが、正イオンおよび負イオンのうちのいずれか一方のみを発生させるイオン発生素子、イオン発生器およびイオン発生装置に本発明を適用することも当然に可能である。
【００６９】
このように、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【００７０】
１  イオン発生器、１００  イオン発生素子、１０１  ケーシング、１１０  上ケース、１１１  昇圧トランス収容部、１１２ａ，１１２ｂ  ダイオード収容部、１１３ａ，１１３ｂ  放電電極収容孔部、１１４ａ  第１窓部、１１４ｂ  第２窓部、１１５ａ，１１５ｂ  支持枠部、１２０  下ケース、１２１  注入用孔部、１２２ａ，１２２ｂ  ダイオード収容孔部、１２３  コンデンサ収容孔部、１３０  高電圧側回路基板、１３１〜１３４  ランド、１４０  昇圧トランス、１４１  一次巻線、１４２  二次巻線、１５１ａ  第１ダイオード、１５１ｂ  第２ダイオード、１５２ａ  第１放電電極、１５２ｂ  第２放電電極、１５３ａ  第１誘導電極、１５３ｂ  第２誘導電極、１６１  コンデンサ、１６２  トランジスタ、１７０  樹脂封止部、２００  駆動ユニット、２１０  低電圧側回路基板、２１１〜２１４  ランド、２１５ａ，２１５ｂ  突出部、２２０  コネクタ、３００  接続部材。
【図１】
2014053084.tif 000003
【図２】
2014053084.tif 000004
【図３】
2014053084.tif 000005
【図４】
2014053084.tif 000006
【図５】
2014053084.tif 000007
【図６】
2014053084.tif 000008
【図７】
2014053084.tif 000009
【図８】
2014053084.tif 000010
【図９】
2014053084.tif 000011
【図１０】
2014053084.tif 000012